(57)【特許請求の範囲】
【請求項１】
内層（１２）をヘルメットの内側衝撃吸収部（１３）に取り外し可能に結合する装置（１）であって、
前記内側衝撃吸収部（１３）は、主として発泡体から形成され、前記装置（１）は、前記内層（１２）に拘束可能な第１要素（２）と、前記内側衝撃吸収部（１３）に拘束可能な第２要素（３）とを備え、前記第２要素（３）は、前記内側衝撃吸収部（１３）の前記発泡体にねじ込まれて挿入できるねじ部（３ａ）を備え、かつ前記装置（１）は、前記第１要素（２）を前記第２要素（３）に機械的にスナップ結合する手段（４ａ、４ｂ）を備え、
前記第２要素（３）は、頭部に、機械的にスナップ結合する前記手段（４ａ、４ｂ）の雌型のシート（４ｂ）または雄型の突出部（４ａ）を有し、ねじ状に形成されることを特徴とする装置。
【請求項２】
前記機械的にスナップ結合する前記手段（４ａ、４ｂ）は、前記第２要素（３）に形成される前記雌型のシート（４ｂ）と、前記第１要素（２）に形成される前記雄型の突出部（４ａ）とを備え、または、これとは逆の構成を備え、前記雄型の突出部（４ａ）が前記雌型のシート（４ｂ）に可逆的に拘束可能であることを特徴とする請求項１記載の装置。
【請求項３】
前記第２要素（３）は、前記内側衝撃吸収部（１３）の面（１３ａ）に結合する金属薄片（３ｃ）を備え、前記金属薄片（３ｃ）は、前記雌型のシート（４ｂ）を有することを特徴とする請求項１または２に記載の装置。
【請求項４】
前記第２要素の前記ねじ部（３ａ）は、深さ（Ｈ）が変化するねじ山（３ｂ）を有することを特徴とする請求項１〜３のいずれか１項に記載の装置。
【請求項５】
前記ねじ部（３ａ）のねじ山（３ｂ）の最大の深さ（Ｈｍａｘ）とピッチ（Ｐ）との比は、１．００〜１．８０の間であることを特徴とする請求項１〜４のいずれか１項に記載の装置。
【請求項６】
前記ねじ部（３ａ）のねじ山（３ｂ）の内径（Ｄｉ）と最大の深さ（Ｈｍａｘ）との比は、０．１５〜０．５の間であることを特徴とする請求項１〜５のいずれか１項に記載の装置。
【請求項７】
前記ねじ部（３ａ）のねじ山（３ｂ）は、前記ねじ山（３ｂ）の角度が変化して、最小値が２５〜３５°の間に設定され、最大値が３５〜５０°の間であることを特徴とする請求項１〜６のいずれか１項に記載の装置。
【請求項８】
前記ねじ部（３ａ）は、深さ（Ｈ）が徐々に減少するねじ山（３ｂ）を有することを特徴とする請求項１〜７のいずれか１項に記載の装置。
【請求項９】
前記第１要素（２）は、前記内層の２つの反対の面（１２ａ、１２ｂ）に結合する結合手段（２ａ、２ｃ）を備えることを特徴とする請求項１〜８のいずれか１項に記載の装置。
【請求項１０】
少なくとも一部がプラスチック材料で形成されていることを特徴とする請求項１〜９のいずれか１項に記載の装置。
【請求項１１】
アウタシェルと、主として発泡体から形成され、前記アウタシェルの内側に配置されている内側衝撃吸収部（１３）と、ヘルメットとユーザとの間の接触部分の少なくとも一部を定めるように、前記内側衝撃吸収部（１３）の内側に拘束される内層（１２）とを備え、前記内層（１２）は、請求項１〜１０のいずれか１項に記載の装置の少なくとも１つにより、前記内側衝撃吸収部（１３）に拘束されていることを特徴とするヘルメット。
【発明の詳細な説明】
【技術分野】
【０００１】
本発明は、保護ヘルメットの分野に関し、例えば、オートバイ、スクータ、スノーモービル等の車両のユーザのための保護ヘルメットの分野に関する。
【背景技術】
【０００２】
この種の保護ヘルメットは、一般に、硬い保護シェルであるアウタシェルと、通常、少なくとも一部がクローズドセル型の発泡体（例えば、発泡スチロール）から形成されている、主としてインナキャップを構成する１つ以上の内側衝撃吸収部（例えば、側部頬パッド、内側の上部挿入物、顎ガード等）とを備えるものが知られている。かかる内側衝撃吸収部は、衝撃エネルギを吸収するのに適している。通常、布地で被覆できる発泡ゴムからなる内層は、内側衝撃吸収部の内面に配置されており、ユーザの顔に接触するのに適するようになっている。前記内層は、ユーザと内側衝撃吸収部との間に設けられ、広い範囲で弾性的に圧縮可能であり、ヘルメットを寸法や形の異なる種々の頭に適応させることができ、かつユーザの顔を、ヘルメットに快適に接触させることができる。
【０００３】
この内層は、一般に、ヘルメットの各内側衝撃吸収部の内面に接着されているため、内層の清掃および交換の作業は困難である。
【０００４】
他方、例えば、「ベルクロ」（登録商標）やラッチ機構により、内層の全体または一部を、内側衝撃吸収部の内面に取り外し可能に取り付けるようにした保護ヘルメットも知られている。
【０００５】
例えば、相手側部材を弾性的に連結するようになっているラッチ機構を利用するもので、ラッチ機構（例えば、弾性型）における少なくとも１つの雄部材または雌部材を備える１つ以上のプレートその他の支持体を、接着剤を用いて内側衝撃吸収部のキャップに装着したものも知られている。この場合、ラッチを構成する相補的な雌部分または雄部分を備える内層は、プレートや支持体に対して、ヘルメットの内側衝撃吸収部に取り外し可能に固定することができる。
【０００６】
このような解決策によると、保護ヘルメットの内層の交換や修繕を容易に行うことができるが、内層の取り付けは厄介である。すなわち、接着剤を使用する場合、時間の経過とともに接着層は劣化するため、ヘルメットの各内側衝撃吸収部に確実に取り付けることはできるが、常に完全に信頼できるとは限らない場所に、往々にして挿入されるプレートや支持体の配置に注意が必要である。
【０００７】
取り外し可能な内層を有する保護ヘルメットの他の形態として、ラッチ機構を構成する雄部分または雌部分を有するプレートを、同じ内側衝撃吸収部とともに成形し、発泡体からなる内側衝撃吸収部に固定させるものがある。
【０００８】
この場合にもまた、ヘルメットの内側衝撃吸収部を作成する際に、ラッチ機構のプレートやその他の支持体を、型内に正確に位置決めして支持させ、一時的に保持するようになっている複雑な型が必要となり、特に実装が厄介である。
【発明の概要】
【発明が解決しようとする課題】
【０００９】
従って、本発明の目的は、高い信頼性を保証する一方、厄介な実装作業を必要とすることなく、ヘルメットの内側衝撃吸収部に、内層を容易に支持させることができ、また、取り外すことのできる装置を提供することにある。
【００１０】
本発明のさらなる目的は、廉価で製造が容易な上記した装置を提供することにある。
【課題を解決するための手段】
【００１１】
これらおよびその他の目的は、請求項１に係る本発明の装置、および請求項１２に係る本発明のヘルメットにより解決される。本発明の好ましい態様を、従属請求項に記載してある。
【００１２】
本発明によれば、ヘルメットの内層を、主として発泡体から形成されている内側衝撃吸収部に取り外し可能に結合する装置は、内層に拘束可能な第１要素と、内側衝撃吸収部に拘束可能な第２要素とを備えている。第２要素は、内側衝撃吸収部と第２要素とを拘束するため、内側衝撃吸収部の発泡体にねじ込んで挿入しうるねじ部を備えている。装置は、さらに、第１要素と第２要素とを機械的にスナップ結合する手段を備えている。
【００１３】
本発明によると、内層を、内側衝撃吸収部に恒久的に、かつ容易に結合させることができる。第１要素と第２要素とのスナップ結合は、内層と内側衝撃吸収部とが望ましくない偶発的な分離をするのを阻止している。さらにまた、ユーザが内層を内側衝撃吸収部から取り外したい場合には、スナップ結合の力に打ち勝って、２つの要素を分離するために、本発明の装置に適度な力を加えるだけでよい。
【００１４】
「機械的なスナップ結合」という表現において、機械的な結合とは、本明細書での記載、および以下の記載では、少なくとも部分的に、一方を他方の中に挿入させることのできる２つの相補的な部材間の結合を意図していることに留意する必要がある。機械的な結合は、２つの部分が干渉して結合されることによる相互の拘束力を利用できるように、結合している間には変形され、また、変形していない位置、または、異なる変形の位置に復帰する少なくとも１つの部分の一部の弾性変形可能性により、２つの部分間の恒久的で可逆的な連結を保証する。
【００１５】
本発明の１つの観点によれば、機械的にスナップ結合する手段は、前記第２要素（または第１要素）に形成される雌型のシートと、前記第１要素（または第２要素）に形成され、雌型のシートの中に可逆的に拘束可能な雄型の突出部とを備えている。
【００１６】
かかる機械的にスナップ結合する手段は、実際には公知の形態を有する押ボタン（またはスナップボタン）であり、例えば、雌型のシートは、弾性保持枠または弾性保持部分を備え、雄型の突出部は、雌型のシートに挿入された後、雌型のシートの前記弾性保持枠によって可逆的に保持される溝を備えている。または、雌型のシートおよび雄型の突出部は、少なくとも一方が弾性的に変形可能である部分が干渉することで相互に連結されるように形成されている。あるいは、このような雄型および雌型の部分は、米国特許第３２１９４０号に記載されたボタンの構成と類似しているか、または、そのボタンの構成から導かれるものである。
【００１７】
このような形態により、ヘルメットの内部に間隙を生じさせ、装置の構成部材の結合および解放の操作を容易にする。
【００１８】
本発明のより好ましい局面においては、前記第２要素は、実質的にねじ状をなし、その頭部には、第１要素と機械的にスナップ結合する雌型のシート、または雄型の突出部を有している。
【００１９】
かかる実施形態は、発泡体で形成されているヘルメットの内側衝撃吸収部に容易に適用することができ、かつ、製造および保管が特に容易である。
【００２０】
本発明の他の局面においては、第２要素は、内側衝撃吸収部の面に結合するための金属薄片を備え、この金属薄片は、機械的な結合手段における前記した雌型のシート（または雄型の突出部）を有している。
【００２１】
本発明の１つの局面においては、第２要素のねじ部における、ねじ山の深さが変化している。
【００２２】
本発明の１つの局面においては、ねじ山の最大の深さとピッチとの比は、１．００と１．８０の間、好ましくは、１．２０と１．６０の間であり、好ましい値は、約１．４０である。
【００２３】
本発明の１つの局面においては、ねじ部の、ねじ山と最大の深さとピッチとの比は、０．１５〜０．５の間、好ましくは、０．１５〜０．３５の間であり、好ましい値は、約０．２３である。
【００２４】
一般に、ねじ山は、ねじ山の内径、すなわち、ねじ山が螺旋状に巻き付けられるステムの径よりも有意に大きい最大の深さを有する。
【００２５】
特に、内径は、衝撃が加えられた場合における、ステムの最大の変形可能性および圧縮コンプライアンスを保証するように、できるだけ小さく設定されている。すなわち、衝撃が加えられた場合に、容易につぶれるが、容易にねじ込めるために必要な強度を有するように設定されている。
【００２６】
本発明の１つの観点によれば、ねじ部のねじ山の角度は変化しており、最小値が２５
〜３５°の間（好ましくは、約３０°）に設定され、最大値が３５〜５０°の間（好ましくは、約４３°）に設定されている。
【００２７】
本発明の１つの観点によれば、ねじ部は、深さが徐々に小となるねじ山を有している。
【００２８】
これらのねじ山の特徴は、好ましくは、一方を他方に結合するときに、内側衝撃吸収部に第２要素を効果的に固定することを可能とする。内側衝撃吸収部は、実際には、上述したように、主として発泡プラスチック材料、例えば、ＥＰＳ（発泡スチロールとして知られている）、ＥＰＰ（発泡ポリプロピレンとして知られる）、発泡ＰＵ（ポリウレタン）またはＥＶＡ（エチレン酢酸ビニル）から形成される。
【００２９】
本発明の１つの観点によれば、第１要素は、内層の２つの反対の面に結合する結合手段を備えている。
【００３０】
これにより、第１要素は、内層を介して配置され、内層に効果的に拘束させることができる。
【００３１】
本発明の１つの観点によれば、装置の、少なくとも一部または全体は、プラスチック材料で形成されている。
【００３２】
このような本発明によると、装置の製造コストを安価とし、かつ成形により、ねじ山の特定の形態を直接に作成することができる。
【図面の簡単な説明】
【００３３】
添付の図面を参照して、本発明の例示的で限定されることのない実施形態について述べる。
【図１】使用状態における本発明に係る連絡装置の分解縦断正面図である。
【図２】図１に示す装置における要素の一部縦断側面図である。
【図３】図１に示す装置の斜視図である。
【図４】図１に示す装置を異なる角度から見た斜視図である。
【発明を実施するための形態】
【００３４】
添付の図面は、一般に、主としてまたは全体として、例えば、発泡スチロールまたはポリプロピレン等の発泡体から形成される各内側衝撃吸収部１３（以下、内側部１３とも呼ぶ）に対して、例えば、オートバイに用いられる保護ヘルメットの内層１２を取り外し可能に連結する装置１が記載されている。
【００３５】
連結装置１は、互いに機械的に連結することができる第１要素２および第２要素３を備えている。
【００３６】
特に、第１要素２は、上述したヘルメットの内層１２に固定させることができ、また、第２要素３は、内側衝撃吸収部１３に固定させることができる。
【００３７】
公知の内側衝撃吸収部１３は、通常、独立気泡型の発泡体から構成され、典型的には、通常、ＡＢＳや繊維強化複合材料等のポリカーボネートまたは他の熱可塑性材料のような硬い材料からなるヘルメットの外側筐体（またはアウタキャップ）の内側に配置される。
【００３８】
通常、布地層で被覆された発泡ゴムからなる内層１２は公知であるので、ここでは詳細に説明しない。上述したように、かかる内層１２は、ユーザの顔に接触するものであり、典型的には薄い。すなわち、他の２つと比較して薄い。
【００３９】
ここに示す本発明の実施形態において、内層１２に固定される第１要素２は、本体２ｂが突出する金属薄片２ａを備えている。金属薄片２ａは、円形であり、かつ、本体２ｂは、円筒形であることが好ましい。もちろん、金属薄片２ａおよび本体２ｂは、異なる形状とすることもできる。
【００４０】
本発明の観点によれば、本体２ｂは、実質的に平板形状で本体２ｂの側面から突出し金属薄片２ａと実質的に平行な平面に沿ったフランジ２ｃを有する。
【００４１】
金属薄片２ａおよび本体２ｂを、例えば、プラスチック材料で一体に形成することができ、または、恒久的に、好ましくは、例えば、溶接や機械的な連結により一方が他方に不可逆的に連結される２つの別々の部分で形成できることに留意すべきである。
【００４２】
保護ヘルメットの内層１２は、第１要素２の金属薄片２ａとフランジ２ｃとの間に拘束させることができる。換言すると、金属薄片２ａは、内層１２の第１面１２ａに接触させ、フランジ２ｃは、内層１２の第１面１２ａとは反対の第２面１２ｂに接触させることができる。
【００４３】
従って、内層１２と第１要素２との拘束は、内層１２に形成された貫通孔に第１要素２が押し込まれる簡単な連結結合とすることができる。
【００４４】
加えて、または、選択的に、第１要素２と内層１２との間に固定手段を追加することができる。例えば、内層１２は、第１要素２に接着により拘束させることができる。ここに示される実施形態を参照すると、接着剤は、例えば、金属薄片２ａと内層１２の第１面１２ａとの間、および／または、本体２ｂと内層１２との間に設けることができる。
【００４５】
ここには示していないが、他の実施形態として、第１要素２は、図から了解されるように、同じ保護ヘルメットの内側部１３に固定される第２要素３とスナップ結合する手段の一部を少なくとも有し、それにより保護ヘルメットの内層１２に拘束させることができるのであれば、いかなる形状および大きさに形成できることに留意すべきである。
【００４６】
ここに示した実施形態において、第１要素２は、後でより詳しく説明されるが、本体２ｂに追加されて、第２要素３と機械的にスナップ結合する適切な手段４ａ、４ｂを構成する部分４ａを有する。
【００４７】
第２要素３は、ねじ部３ａを備える。すなわち、かかる第２要素３は、保護ヘルメットの上述した内側部１３の少なくとも一部を構成する発泡体にねじ込むことのできるねじ山３ｂを有するねじ部３ａを備えている。
【００４８】
従って、ねじ部３ａは、内側部１３にねじ込むだけで恒久的に拘束できるように形成される。上述したように、内側部１３は、主として、または、全体が発泡体、典型的には、発泡スチロールまたは発泡ポリプロピレンから形成される。そのため、第２要素３のねじ部３ａは、第２要素３が「自らねじを切る」のに適応した従来にない形状を有し、第２要素３が内側部１３の発泡体に恒久的に固定される状態を確保できることが好ましい。
【００４９】
特に、ねじ部３ａのねじ山３ｂは、標準的なねじと比較して、ピッチおよび深さがより大きいことが好ましい。
【００５０】
ねじ山３ｂの好ましいパラメータを以下に列記する。
【００５１】
ねじ山３ｂは、変化する深さＨを有することが好ましい。図において、ねじ山３ｂの深さＨは、徐々に減少し、ねじ山３ｂの先端部で最小となっている。
【００５２】
本発明の観点によれば、ねじ山３ｂの最大の深さＨｍａｘとピッチＰとの比は、１．００〜１．８０、好ましくは、１．２０〜１．６０に設定される。好ましい値は、約１．４０である。特に、図示の実施形態では、この値は、１．３７４である。
【００５３】
ねじ部３ａの内径Ｄｉとねじ山３ｂの最大の深さＨｍａｘとの比は、０．１５〜０．５の間に設定されることが好ましい。かかる比は、０．１５〜０．３５の間に設定されることがより好ましい。好ましい値は、約０．２３である。図示の実施形態では、この値は、０．２２８である。
【００５４】
上述したように、一般に、内径Ｄｉは、内側部１３にねじ込むことができるように、ねじ山３ｂの構造的な最小の抵抗力を保証する一方で、ヘルメットに衝撃が加わったときに変形するように、できるだけ細く形成される。
【００５５】
ねじ山３ｂの角度αは、順に変化することが好ましい。角度αの最小値は、２５〜３５°の間（約３０°とすることが好ましい）に設定される。これに対して、角度αの最大値は、３５〜５０°の間（約４３°とすることが好ましい）に設定される。
【００５６】
図示の例では、深さＨｍａｘは６．５７５ｍｍ、ピッチＰは４．７９ｍｍ、内径Ｄｉは１．５０ｍｍである。
【００５７】
加えて、第２要素３は、金属薄片３ｃを備えていることが好ましい。第１要素２の金属薄片２ａと同様に、ねじ部３ａの軸と直交する平面に沿った金属薄片３ｃは、保護ヘルメットの内側衝撃吸収部１３の内面１３ａに直接または間接的に接触するようにすることが好ましい。実際には、同じ金属薄片３ｃが、内側衝撃吸収部１３に対して、内層１２および／または仕上層を順に保持することができる。従って、内層１２および／または仕上層は、内側衝撃吸収部１３（後者）に間接的に接触する。
【００５８】
さらに、第２要素３は、第１要素２とスナップ結合する手段４ａ、４ｂを構成する部分４ｂを備え、特に、第１要素２上で形成されまたは遂行されるかかる結合手段の部分４ｂを備える。
【００５９】
装置１の第１要素２と第２要素３とをスナップ結合する手段４ａ、４ｂは、雌雄結合を実現するように、突出部４ａと、実質的に相補的な形状を有する各シート４ｂとを備えることが好ましい。
【００６０】
典型的な場合として、第２要素３は、第１要素２よりも大きい。この場合、雌型のシート４ｂは、第２要素３の上に配置される。
【００６１】
しかしながら、第１要素２が雌型のシートを備え、第２要素３が雄型の突出部を備える実施形態が排除されるものではない。
【００６２】
機械的なスナップ結合手段の部分４ａ、４ｂの少なくとも一方は、雌型のシート４ｂの中に雄型の突出部４ａが連結結合できる一様で最小限の弾性変形可能性と、かかる結合位置において恒久的且つ可逆的な拘束力とを有しているべきである。例えば、雌型のシート４ｂの壁部および／または雄型の突出部４ａの壁部は、かかる機械的なスナップ結合手段４ａ、４ｂが形成されまたは設けられる連結装置１の２つの要素２、３の相互の結合およびその逆の場合を保証するように、相互に結合した後、変形前の形状に戻りまたは向かうためにそれぞれが弾性的に広がりまたは狭まることができる。
【００６３】
上述したものと異なるかかる手段４ａ、４ｂの形状は、第１要素２と第２要素３との間で、いわゆる「機械的なスナップ結合」ができる範囲であれば、装置１において選択的に使用できることに留意すべきである。
【００６４】
かかる「機械的なスナップ結合」という表現において、機械的な結合とは、通常、２つの相補的な部分間、例えば、雄型と雌型との間の結合を意図していることを想起する必要がある。機械的な結合は、２つの部分が干渉して結合されることによる相互の拘束力を利用できるように、結合している間には変形され、また、変形していない位置、または、変形の少ない若しくは異なる変形の位置に復帰する少なくとも１つの部分の一部が弾性変形することにより、２つの部分間の恒久的で可逆的な連結を保証することができる。
【００６５】
図示された本発明の実施形態に戻ると、スナップ結合手段４ａ、４ｂを構成する雌型のシート４ｂは、必ずしも必要ではないが、第２要素３のねじ部３ａと一直線で第２要素３の金属薄片３ｃに隣接して配置されることが好ましい。従って、シート４ｂは、金属薄片３ｃの内側の凹状の開口部５として形成される。
【００６６】
ここに示された実施形態において、第２要素３は、実質的には、頭部に機械的なスナップ結合手段４ａ、４ｂを構成する雌型のシート４ａを有する通常のねじとして形成されていることに留意すべきである。
【００６７】
典型的な場合として、雌型のシート４ｂは、実質的には円筒形である。突出部４ａとのスナップ結合を達成するため、シート４ｂは、テーパ状であるか、または、異なる高さ位置で少なくとも２つの直径が互いに異なることが好ましい。「高さ」は、ねじ部３ａの軸と平行な方向に沿って計測され、ねじ部３ａからの距離に比例して増加する。図２において、「高さ」はシート４ｂの頂部の方向に向かう垂直軸である。
【００６８】
ここに示される本発明の実施形態における実質的で補足的な方法では、雄型の突出部４ａは、実質的には円筒形状であり、かかる突出部４ａがシート４ｂに一旦挿入されると、シート４ｂと干渉して連結が促進されるため、テーパ状であることが好ましい。
【００６９】
他の方法、または、テーパとの組み合わせでは、シート４ｂまたは突出部４ａの壁部の所定の弾性変形可能性により、干渉による前述した可逆的な連結が達成される。すなわち、かかる手段４ａ、４ｂ間の機械的なスナップ結合が達成されるため、突出部ａは、シート４ｂの直径よりもわずかに大きくするだけでよい。
【００７０】
本発明の特定の観点によると、シート４ｂの上縁部３ｄは、金属薄片３ｃから突出している。「上」の定義は、貼付した図面では頂部の部分を表しているが、装置１の操作の仕方を参照して決められる。
【００７１】
シート４ｂの直下には、シート４ｂと同軸の付加的な開口部５を有することが好ましい。従って、開口部５は、シート４ｂに連結される。前述した方向を参照すると、開口部５の上縁部５ａは、シート４ｂの下面に配置される。
【００７２】
開口部５は、内側部１３の発泡体に第２要素３をねじ込むための工具と協動するように形成されることが好ましい。ここに示した実施形態では、開口部５は、６つの頂点を有する星形である。
【００７３】
第１要素２が第２要素３に連結されているときであっても（すなわち、突出部４ａがシート４ｂに挿入されているときであっても）、ねじ込む工具を開口部５に結合できるように、第１要素２の本体２ｂは、中空であることが好ましい。換言すれば、第１要素２の本体２ｂは、突出部４ａを含んで本体２ｂの全長を横切る貫通孔２ｄを有することができる。
【００７４】
装置１は、異なる材料から形成することができる。装置１は、全体または一部をプラスチック、例えば、ポリアミドまたはアセタール樹脂で形成することが好ましい。
【００７５】
組み立て工程では、第２要素３は、例えば、開口部５に挿入されるドライバを用いて、ヘルメットの内側部１３、または、内側部１３の上部カバー／仕上要素の上から、若しくは、側部頬パッドおよび／または顎ガードにねじ込まれる。
【００７６】
反対に、第１要素２は、金属薄片２ａが内層１２の第１面１２ａに結合し、フランジ２ｃが内層１２の第１面１２ａと反対の第２面１２ｂに結合するように、例えば、本体２ｂを内層１２の孔に挿入することで内層１２に拘束される。上述したように、第１要素２は、内層１２に接着させることもできる。
【００７７】
使用に際して、スナップ結合手段４ａ、４ｂは、内層１２を内側部１３に拘束するように、一方が他方と可逆的に結合される。ここに示した本発明の実施形態においては、突出部４ａは、図１の矢印に示すように、前者を後者の方向に移動させることにより、各シート４ｂに挿入される。
【００７８】
上述したシート４ｂの構成により、突出部４ａは、所定の位置に保持される。
【００７９】
ユーザが内層１２を内側部１３から取り外したい場合には、第１要素２に力を加えて、それを第２要素３から引きはがす。かかる力が突出部４ａをシート４ｂから取り外すのに十分であれば、内層１２は、内側部１３から取り外すことができる。
【００８０】
記載を容易にするため、内層１２を内側部１３に拘束する１つの装置１に限定して記載した。実際には、前者を後者に拘束するため、内層１２および内側部１３に複数の装置１を適切に配置して使用することが好ましい。
【符号の説明】
【００８１】
１  連結装置
２  第１要素
２ａ  金属薄片
２ｂ  本体
２ｃ  フランジ
２ｄ  貫通孔
３  第２要素
３ａ  ねじ部
３ｂ  ねじ山
３ｃ  金属薄片
３ｄ  上縁部
４ａ  突出部（部分、手段）
４ｂ  シート（部分、手段）
５  開口部
５ａ  上縁部
１２  内層
１２ａ  第１面
１２ｂ  第２面
１３  内側衝撃吸収部（内側部）
１３ａ  内面
【図１】
0006754217.tif 000002
【図２】
0006754217.tif 000003
【図３】
0006754217.tif 000004
【図４】
0006754217.tif 000005